(57)【要約】【課題】  持ち運びや取扱い容易の平板形態として使用できると共に立体形態に変化させてピラミット体を形成できる簡便で安価な平立形態ピラミット体を提供する。【解決手段】  ４枚の同一形状の三角体１を用いてこれを一対の菱形とし、この菱形を表裏に合体させて三角体１の夫々の稜線１Ａ，１Ｂを連結固着すると共に夫々の三角体１の頂点１Ｃを１点に固着することにより形成される。【選択図】  図２
0003154252.tif 000002
【実用新案登録請求の範囲】
【請求項１】
平板形態においては同一形状の一対の三角体を右と左の稜線を固着すると共に夫々の頂点を固着してなる菱形の形状を表裏に配設し、表裏の前記菱形の相対応する稜線を固着すると共に前記頂点を固着した２枚合わせの形態のものからなり、立体形態においては夫々の前記三角体を開いてピラミット形状に形成されることを特徴とする平立形態ピラミット体。
【請求項２】
前記三角体の底辺の長さをａとしその高さをｂとし、立体形態におけるピラミット体の高さをｈとするとａ＝１．５７ｈでｂ２＝ｈ２＋（ａ／２）２とからなることを特徴とする請求項１の平立形態ピラミット体。
【請求項３】
前記三角体が、プラスチック材，紙材又は金属材からなることを特徴とする請求項１又は２に記載の平立形態ピラミット体。
【考案の詳細な説明】
【技術分野】
【０００１】
本考案は、立体形態ではピラミットの形態を形成すると共に折り畳み自在で平板形態で保管可能な平立形態ピラミット体に関する。
【背景技術】
【０００２】
ピラミットは重要な世界遺産に挙げられ、その存在の不思議さから色々の書物や色々の形態のミニチャ物品が開示され販売されている。特にピラミットからはピラミットパワーが発進されていると言う謎もあり、単に芸術品や美術品として愛好されているのみならず、このピラミットパワーを利用する色々の製品もある。例えば、「特許文献１」や「特許文献２」に紹介されている。
【先行技術文献】
【特許文献】
【０００３】
【特許文献１】登録実用新案第３０３１７４５（図１）
【特許文献２】特開平９−７８８８９号（図１）
【考案の概要】
【考案が解決しようとする課題】
【０００４】
前記のようにピラミットの謎の１つであるピラミットパワーを主体とするピラミットに関する発明や考案は多く存在するが、このピラミットパワーに直接関係しなくてもピラミットに関する商品はその存在価値が十分にある。この商品として高価のものも多く存在するが、手軽に入手でき、子供達にとっても取扱い易く、かつ面白く安価に形成され、また、飾り物としても存在価値のあるピラミット体は本願の出願人の調査によると存在していない。即ち、不使用時においては平板状の形態であり、書物等の間に手軽に収納でき、軽量であり、どこでも収納できると共に使用時には平板形態から立体形態となりピラミット体を形成する本考案のようなものは過去に存在していない。
【０００５】
本考案は、以上の事情に鑑みて考案されたものであり、不使用時には平板体として手軽に持ち運びでき、使用時にはピラミット体として立体形態に簡単になり、景品としても十分に使用可能な平立形態ピラミット体を提供することを目的とする。
【課題を解決するための手段】
【０００６】
本考案は、以上の目的を達成するために、請求項１の考案は、平板形態においては同一形状の一対の三角体を右と左の稜線を固着すると共に夫々の頂点を固着してなる２枚の菱形の形状を表裏に配設し、表裏の前記菱形の相対応する稜線を固着すると共に前記頂点を固着した２枚合わせの形態のものからなり、立体形態においては夫々の前記三角体を開いてピラミット形状に形成されることを特徴とする。
【０００７】
また、請求項２の考案は、前記三角体の底辺の長さをａとしその高さをｂとし、立体形態におけるピラミット体の高さをｈとするとａ＝１．５７ｈでｂ２＝ｈ２＋（ａ／２）２とからなることを特徴とする。
【０００８】
また、請求項３の考案は、前記三角体が、プラスチック材，紙材又は金属材からなることを特徴とする。
【考案の効果】
【０００９】
本考案の請求項１の平立形態ピラミット体によれば、本考案のピラミット体は４枚の三角体を展開可能に連結したものからなり、不使用時には平板形態となり、１枚の平板となるため極めて取扱い易くなり、収納及び持ち運びが容易のものとなる。また、使用時には夫々の三角体を開放状態に開くことにより容易にピラミット体となり、飾り物として十分に使用可能のものとなる効果が上げられる。
【００１０】
また、本考案の請求項２の平立形態ピラミット体によれば、通常のピラミット体として公知の関係寸法のａ＝１．５７ｂの値が使用され、実際のピラミットのミニチュア盤としての価値が十分に保有される。よって、ピラミットパワーの存在も可能と想像される。
【００１１】
また、本考案の請求項３の平立形態ピラミット体によれば、このピラミット体としては色々の材料が使用可能であり、各種の形態のものを作成することができるためその利用範囲の拡大を図ることができ、コストも多様のものを製作することができる。なお、使用材質により透明や半透明のものや、内部の見えないものや外観美を向上させるもの等、各種の形態のものが製作可能のものとなる。
【図面の簡単な説明】
【００１２】
【図１】本考案の平立形態ピラミット体の平板形態の状態を示す正面図（ａ）、その構成部材の展開図（ｂ）、平板形態の表裏の三角体を少し開いた状態を示す正面図（ｃ）及び（ｃ）の側面図（ｄ）。
【図２】本考案の平立形態ピラミット体の立体形態における斜視図（ａ）及び（ａ）の上面図（ｂ）。
【図３】平立形態ピラミット体の各部の寸法の関係を説明するための立体図（ａ）及び各部寸法の計算のための平面図（ｂ）及び（ｃ）。
【考案を実施するための形態】
【００１３】
以下、本考案の平立形態ピラミット体の実施の形態を図面を参照して詳述する。
【００１４】
図１は本考案の平立形態ピラミット体１００の正面図である。平立形態ピラミット体１００は平面形態においては２枚の菱形体を表裏に重ね合わせた状態からなり、図１（ｃ），（ｄ）はそれをわかり易く示されたものであり、後面側の菱形体が少し後方に回動した状態を示すものである。この菱形体は同一形状の三角体１，１を稜線１Ｂ（右側の稜線）と稜線１Ａとを連結固着したものからなる。従って、平立形態ピラミット体１００は図１（ｂ）に示すように同一形状の三角体１を４枚使用したものからなる。この三角体１，１は夫々稜線１Ａ，１Ｂで連結固着されると共にそれ等の頂点１Ｃが全体として１点に固着されるものからなる。
【００１５】
平立形態ピラミット体１００が不使用の場合は図１（ａ）に示すような平板形態のものからなり、ほぼ１枚の板状のものからなるため持ち運びは簡単であり、本のしおりとしても用いられ、書物等の間に収納保管することもできる。また、この平立形態ピラミット体１００の三角体１の材質は通常は透明のプラスチック材が望ましいが、不透明のものでもよい。また、少し厚い紙材でもよく、色や模様のあるものでも勿論よい。また、金属材の薄板でもよく、メッキヤ塗装されているものでもよい。また、平立形態ピラミット体１００の表面に任意の飾り物を付設してもかまわない。
【００１６】
図２は平立形態ピラミット体１００の使用時の形態を示すものであり、図２（ａ）に示すように立体形態のものからなり、まさにピラミットの形態からなる。図２（ｂ）は図２（ａ）の上面図であり、四錘体状のものからなる。図１（ａ）の平板形態の平立形態ピラミット体１００を図２（ａ）の上方形態にするには図１（ａ）の平立形態ピラミット体１００の夫々の三角体１の下面側の底辺を外に開くことにより容易に行われる。勿論、図２（ａ）の立体形態のものを図１（ｂ）の平板形態にすることは前記の逆動作により容易に行われる。
【００１７】
図３（ａ），（ｂ），（ｃ）は本考案における平立形態ピラミット体１００の各部の寸法の関係を説明する図である。
図３（ａ）におけるＡ，Ｂ，Ｃの三角形が図３（ｂ）に示され、図３（ｂ）のＥ視の三角形が図３（ｃ）に示されている。なお、図３（ａ）におけるａ，ｂ，ｈの関係は下式の如くなる。
ａ／ｈ＝１．５７・・・・・・（１）
ｂ２＝ｈ２＋（ａ／２）２・・・（２）
上式の（１）のａ，ｈとの関係は例えば最も普通の形態（クワ王のピラミット）のピラミットにおける関係式であり「謎のピラミットパワー」と言う書物の２３１頁に示されている値を用いた。
以上の（１），（２）式によりｈの値を決めることによりａ及びｂの値を求めることが出来、角度θ及びαを求めることも容易にできる。
【実施例１】
【００１８】
一例として、ｈ＝１０ｃｍとするとａは１５．７ｃｍとなり、ｂは１２．７１３１ｃｍとなる。従って、θ＝６３°２１′となりα＝７６°となる。
【００１９】
本考案は、以上の説明の内容のものからなるが、本考案は以上の内容に限定するものではなく、同一技術的範疇のものが適用されることは勿論である。
【産業上の利用可能性】
【００２０】
本考案の平立形態ピラミット体１００は前記の関係式のピラミット以外にも当然適用される。
また、本考案の平立形態ピラミット体１００の高さｈの１／３の部分に何等かの物を置くことによりピラミットパワーの影響を受けるかも知れないと言う遊びに適用され、単なる置物ではなく、不思議な遊び物や占い用の物としても適用可能である。
【符号の説明】
【００２１】
１      三角体
１Ａ    稜線（左側）
１Ｂ    稜線（右側）
１Ｃ    頂点
１００  平立形態ピラミット体
【図１】
0003154252.tif 000003
【図２】
0003154252.tif 000004
【図３】
0003154252.tif 000005